(57)【特許請求の範囲】
【請求項１】
パチンコ遊技機本体の前面下側にて、同本体に固定された支持部と、同支持部に同軸的かつ回動可能に取り付けられた回動部材とを有し、
前記回動部材の時計方向への回動により同回動部材に連動する遊技球発射装置の駆動を開始させ、同遊技球発射装置により弾発発射された遊技球を同本体前面上部の遊技盤面に供給させるパチンコ遊技機の発射ハンドルにおいて、
前記支持部内に配設されて同支持部の径方向の外周位置に同支持部を貫通して突出した単発ボタンを有するとともに同ボタンを押すことにより遊技球の発射を停止させる単発スイッチと、
前記単発スイッチと別体に形成され、前記支持部内に配設されて同支持部の径方向の外周位置に同支持部を貫通して突出したＣＲ玉貸しボタンを有するとともに同ボタンを押すことにより遊技球の借り受けをするＣＲ玉貸しスイッチと、を備え、
前記単発スイッチの単発ボタンと前記ＣＲ玉貸しスイッチのＣＲ玉貸しボタンとを区別する為に、前記単発スイッチの単発ボタンの感触を前記ＣＲ玉貸しスイッチのＣＲ玉貸しボタンの感触と異ならせたことを特徴とするパチンコ遊技機の発射ハンドル。
【発明の詳細な説明】
【０００１】
【発明の技術分野】
本発明は、パチンコ遊技機の前面下側に配設した発射ハンドルに係り、特にその改良に関する。
【０００２】
【従来の技術及び発明が解決しようとする課題】
従来、この種のパチンコ遊技機の発射ハンドルは、図９に示すように、ケース１内に配設されて径方向の外周位置にケースを貫通して突出した押ボタン２を有し、押ボタン２を押すことにより遊技球の発射を停止させる単発スイッチ（図示しない）を設けている。一方、パチンコ遊技機は、前面の種々の位置に、図柄表示装置の図柄表示時間を短縮させる図柄停止短縮ボタン、図柄表示装置の図柄表示態様を切り替える表示形態切り替えボタン、遊技内容切り替えボタン、保留装置解除ボタン（玉落しボタン）、ＣＲ玉貸し装置から遊技球を借りるＣＲ玉貸しボタン、ＣＲ玉貸し装置からＣＲカードを取り出すＣＲカード返却ボタン等のボタン類を設けている。しかし、これらのボタン類は、パチンコ遊技機前面の種々の位置に散在しているため、遊技者が発射ハンドルを操作しながら、これらボタン類を操作することは煩雑であった。本発明は、上記した問題を解決しようとするもので、図柄停止短縮ボタン等の機能ボタン類を、遊技をしながら簡単に操作することができるパチンコ遊技機の発射ハンドルを提供することを目的とする。
【０００３】
【課題を解決するための手段及び発明の効果】
上記目的を達成するために上記請求項１に係る発明の構成上の特徴は、パチンコ遊技機本体の前面下側にて、同本体に固定された支持部と、同支持部に同軸的かつ回動可能に取り付けられた回動部材とを有し、前記回動部材の時計方向への回動により同回動部材に連動する遊技球発射装置の駆動を開始させ、同遊技球発射装置により弾発発射された遊技球を同本体前面上部の遊技盤面に供給させるパチンコ遊技機の発射ハンドルにおいて、前記支持部内に配設されて同支持部の径方向の外周位置に同支持部を貫通して突出した単発ボタンを有するとともに同ボタンを押すことにより遊技球の発射を停止させる単発スイッチと、前記単発スイッチと別体に形成され、前記支持部内に配設されて同支持部の径方向の外周位置に同支持部を貫通して突出したＣＲ玉貸しボタンを有するとともに同ボタンを押すことにより遊技球の借り受けをするＣＲ玉貸しスイッチと、を備え、前記単発スイッチの単発ボタンと前記ＣＲ玉貸しスイッチのＣＲ玉貸しボタンとを区別する為に、前記単発スイッチの単発ボタンの感触を前記ＣＲ玉貸しスイッチのＣＲ玉貸しボタンの感触と異ならせたことを特徴とする。
【０００４】
上記のように請求項１に係る発明を構成したことにより、発射ハンドルの操作による遊技中に、所望の機能例えば遊技球の発射を停止させる機能や遊技球の借り受けをする機能を働かせたいようなときには、発射ハンドルの径方向周囲に設けた所定の単発スイッチの単発ボタンやＣＲ玉貸しスイッチのＣＲ玉貸しボタンを押すことにより、遊技中にもかかわらず所望の機能を簡単に働かせることができる。また、単発スイッチやＣＲ玉貸しスイッチを発射ハンドルに設けることにより、発射ハンドルの構成がわずかに複雑になるが、遊技機本体に単発スイッチやＣＲ玉貸しスイッチを取り付けるための穴開け加工等が不要になり、全体としての製造コストを低減することができる。さらに、単発スイッチやＣＲ玉貸しスイッチを発射ハンドルに設けることにより、単発スイッチやＣＲ玉貸しスイッチから引きだされる配線を、発射ハンドル位置にまとめることができ、配線処理を簡易にすることができる。
【０００５】
【０００６】
【発明の実施の形態】
以下、本発明の一実施例を図面を用いて説明すると、図１及び図２は同実施例を適用したパチンコ遊技機の本体１０を正面図及び背面図により概略的に示したものである。このパチンコ遊技機は、カードにより遊技球の貸し出しが可能ないわゆるＣＲ機になっている。本体１０は、正面上部枠位置に遊技盤１１を配設しており、遊技盤１１は、本体１０枠の左端位置にて支持され左端を中心として開閉自在にされたガラス扉１２によって被覆されている。遊技盤１１は円弧形のガイドレール１３ａ及び仕切りレール１３ｂによって仕切られた内側が遊技領域１１ａになっている。遊技領域１１ａの中央には装飾を兼ねた図柄表示装置１４が設けられている。図柄表示装置１４の上部、左右両側及び左右下側には、各々入賞口１５ａ〜１５ｅが設けられている。また、図柄表示装置１４の直下には中央始動口１６が、その下には入賞装置モジュール１７が設けられている。入賞装置モジュール１７は、中央にアタッカ開閉式の大入賞口１７ａ、左右に始動口１７ｂ，１７ｃを設けている。始動口１６，１７ｂ，１７ｃには始動口スイッチ１６ａ，１７ｂ1 ，１７ｃ1 が設けられている。入賞装置モジュール１７の下側には、入賞しなかった遊技球を回収するアウト口１８が設けられている。入賞口１５ａの左側の仕切りレールの近傍には左電飾装置１９ａが設けられ、入賞口１５ｂの右側の仕切りレールの近傍には右電飾装置１９ｂが設けられている。
【０００７】
本体１０の正面の遊技盤１１の下方には、遊技球を貯留する上側受皿２１及び下側受皿２２が設けられており、下側受皿２２の右下側には後述する遊技球発射装置４９の発射ハンドル３０が設けられている。下側受皿２２の右端位置には、後述する機能停止スイッチ２３及びカード残高表示器５７が設けられている。このようにカード残高表示器５７を下側受皿２２に設けたことにより、上側受け皿２１内の複雑な配線が不要になり、配線を他の配線とまとめて簡易に処理することができる。
【０００８】
遊技盤１１の裏側中央位置には、図２に示すように、樹脂製のセンターカバー４１が設けられており、その左端に各種信号処理を行う制御回路を有するメイン基板４２が取り付けられている。センターカバー４１の上部には、賞品球タンク４３が設けられている。賞品球タンク４３の左端下側には、右下方に向けてわずかに傾斜したタンクレール４４が接続され、タンクレール４４の右端は、センターカバー４１の右側を下方に延びる賞品球通路４５に連結されている。賞品球通路４５には、賞品球ケース（賞品球排出装置）４６が介装されており、賞品球ケース４６は、電磁ソレノイド４６ａを励磁させることにより、賞品球通路４５に沿って設けたスプロケット（図示しない）を回動させて、賞品球を１個づつ賞品球通路４５の下流側に排出するようになっている。賞品球通路４５の下流側は、上側受皿２１に接続されている。
【０００９】
センターカバー４１の下側には、上記入賞口等に入賞して遊技盤１１の裏面の開口から落下した遊技球を集める入賞球集合樋４７が、右下方向に傾斜して設けられている。入賞球集合樋４７の右端位置には、入賞球検出スイッチ４７ａ、入賞球排出ソレノイド４７ｂ及び入賞球排出カム４７ｃが順次設けられており、入賞球排出カム４７ｃの下側の通路には入賞球排出確認センサ４７ｄが設けられている。入賞球集合樋４７の左端位置には、賞品球の供給等の制御を行う賞球制御基板４８が取り付けられている。賞球制御基板４８の下側には、発射ハンドル３０に連動した遊技球発射装置４９が設けられている。遊技球発射装置４９は、発射モータ４９ａとその動作を制御するモータコントローラ４９ｂとを設けている。
【００１０】
本体１０の左側には、図１及び図２に示すように、ＣＲカード処理装置５０が設けられている。ＣＲカード処理装置５０は、前面側の上部から順に、カード利用可ランプ５１、金額設定ボタン５２、貸出金額表示５３、カード挿入口５４等が設けられている。ＣＲカード処理装置５０の内部には、カード挿入口５４に挿入されてカードをカード処理部５５に搬送し、またカード処理部５５からカード挿入口５４に戻すカード搬送部５６を設けている。カード処理部５５は、カードの内容を読み取り及び新たな演算内容の書き込みを行うもので、カード処理部５５によるカード内容の読み取り結果は、上記カード残高表示器５７に表示される。ＣＲカード処理装置５０は、裏面側に外部端子５８を設けており、外部端子５８はリード線５８ａにより中継基板５９を介して賞球制御基板４８に接続されている。そして、金額設定ボタン５２の入力に応じて、賞球制御基板４８の制御により賞球ケース４６が作動し、所定数の遊技球が上側受皿２１に供給されるようになっている。
【００１１】
発射ハンドル３０は、図３及び図４に示すように、支持部３１と、支持部３１に固定される半球形のカバー部３５と、支持部３１及びカバー部３５の間に回動可能に挟持される回動部材３６とを設けている。支持部３１は、図５に示すように、円筒部３１ａと、円筒部３１ａの左端に設けた蓋状の受け部３１ｂと、円筒部３１ａの右端に設けた本体１０に固定するための円筒形の固定部３１ｃとを設けており、中心にシャフト３４を貫通させる貫通孔３１ｄを設けている。また、支持部３１には、円筒部３１ａと、受け部３１ｂと、固定部３１ｃとを貫通するリード線通過孔３１ｅを設けている。受け部３１ｂは、図５に示すように、貫通孔３１ｄの周囲及び内壁面に導電部３１ｆを設けており、導電シャフト３４と導通状態を保っている。受け部３１ｂには、ネジ挿入孔を設けた３本の支柱３１ｂ1 〜３１ｂ3 が設けられている。
【００１２】
受け部３１ｂには、図６に示すように、４個の機能スイッチである単発スイッチ３２ａ、ＣＲ玉貸しスイッチ３２ｂ、ＣＲカード返却スイッチ３２ｃ、図柄停止短縮スイッチ３２ｄが設けられている。各スイッチ３２ａ〜３２ｄは、スイッチ本体３２ａ1 〜３２ｄ1 を設けている。スイッチ本体３２ａ1 〜３２ｄ1 の共通端子は、リード線により導電部３１ｆに接続され、各個別端子は、リード線が上記リード線通過孔３１ｅを通って本体１０の裏面側に延出される。スイッチ本体３２ａ1 〜３２ｄ1 に設けた突起部３２ａ2 〜３２ｄ2 を押圧するくの字形状の押圧部材３２ａ3 〜３２ｄ3 が突起部３２ａ2 〜３２ｄ2 対向して設けられている。そして、受け部３１ｂの外周部３１ｂ4 の押圧部材３２ａ3 〜３２ｄ3 との対応位置には、単発ボタン３３ａ、ＣＲ玉貸しボタン３３ｂ、ＣＲカード返却ボタン３３ｃ、図柄停止短縮ボタン３３ｄが設けられ、各ボタン３３ａ〜３３ｄは外周部３１ｂ4 を貫通して外部に突出している。なお、単発ボタン３３ａと他のボタンと区別するために、単発ボタン３３ａの大きさを他のボタンと異ならせたり、形状や色彩や触感を異ならせたりすることができる。また、各ボタン３３ａ〜３３ｄの大きさ、形状、色彩、触感について任意に変更することにより、各々のボタンを区別し易いようにすることもできる。
【００１３】
回動部材３６は、図５及び図７に示すように、円盤部３６ａを設けており、その中心に導電シャフト３４を挿入させる貫通孔３６ｂを設けている。貫通孔３６ｂの周囲には、導電シャフト３４を支持する支持部３６ｃを設けている。また、円盤部３６ａには、帯状の孔３６ｄ，３６ｅが設けられている。長い孔３６ｄは、受け部３１ｂの支柱３１ｂ1 及び３１ｂ2 に嵌め合わされ、短い孔３６ｅは、支柱３１ｂ3 に嵌め合わされる。そして、支柱３１ｂ1 〜３１ｂ3 は、導電シャフト３４が回動する範囲を規定するストッパの役割も果たしている。円盤部３６ａの周囲には、遊技者が手指を添える４個の支持片３６ｆが設けられている。そして、回動部材３６は、導電シャフト３４を支持し、導電シャフト３４を支持部３１の貫通孔３１ｄに挿着させ、帯状の孔３６ｄ，３６ｅを受け部３１ｂの支柱３１ｂ1 〜３１ｂ3 に係合させることにより、支持部３１に回動可能に取り付けられる。
【００１４】
カバー部３５は、半球形状の蓋体であり、内壁面に上記受け部３１ｂの支柱３１ｂ1 〜３１ｂ3 との対応位置に固定用の支柱（図示しない）を設けている。カバー部３５は、支持部３１に取り付けられた回動部材３６上に配設され、受け部３１ｂの裏面側から支柱３１ｂ1 〜３１ｂ3 の孔を通してボルト止めすることにより受け部３１ｂに固定される。
【００１５】
単発スイッチ３２ａ、ＣＲ玉貸しスイッチ３２ｂ、ＣＲカード返却スイッチ３２ｃ及び図柄停止短縮スイッチ３２ｄに接続された個別リード線は、一括してリード線通過孔３１ｅを通して遊技機本体１０の裏面に導かれる。そして、単発スイッチ３２ａは、図８に示すように、モータコントローラ４９ｂに接続されている。ＣＲ玉貸しスイッチ３２ｂ及びＣＲカード返却スイッチ３２ｃは、ＣＲカード処理装置５０内に設けたＣＲカード処理部５５に接続されている。図柄停止短縮スイッチ３２ｄは、メイン基板４２に接続される。メイン基板４２には、その他入賞球検出スイッチ４７ａ及び始動口スイッチ１６ａ，１７ｂ1 ，１７ｃ1 も接続される。そして、ＣＲ玉貸しスイッチ３２ｂ、ＣＲカード返却スイッチ３２ｃ、図柄停止短縮スイッチ３２ｄについては、上記機能停止スイッチ２３をオンすることにより、ＣＲカード処理部５５及びメイン基板４２への接続が開放され、各ボタンを押しても機能しないようにすることができる。
【００１６】
また、モータコントローラ４９ｂの出力側には、上記発射モータ４９ａが接続されている。ＣＲカード処理部５５の出力側には、上記カード搬送部５６及びカード残高表示器５７が接続されている。メイン基板４２の出力側には、図柄表示装置１４が接続されている。また、賞球制御基板４８の出力側には、賞球ケース４６の電磁ソレノイド４６ａが接続されている。そして、ＣＲカード処理部５５と賞球制御基板４８は相互に接続されており、また、賞球制御基板４８とメイン基板４２とは相互に接続されている。
【００１７】
以上のように構成した実施形態の動作について説明する。遊技者が、発射ハンドル３０を把持して回動部材３６を時計方向に回動することにより遊技が開始され、遊技球発射装置４９が遊技球を弾発発射して遊技盤１１の遊技領域１１ａ内に供給する。そして、遊技中に、例えば図柄変動時間を短縮させたいときには、遊技者が、発射ハンドル３０を操作しながら発射ハンドル３０に設けた図柄停止短縮ボタン３３ｄを押すことにより、図柄表示装置１４による図柄変動時間が短縮させることができる。また、ＣＲカード処理装置５０から遊技球を借りたいときには、遊技者が、発射ハンドル３０を操作しながら発射ハンドル３０に設けたＣＲ玉貸しボタン３３ｂを押すと、ＣＲカード処理部５５、賞球制御基板４８を経て電磁ソレノイドが励磁されスプロケットが動作することにより、遊技球を借り受けることができる。さらに、遊技終了近くになってＣＲカードを使用する必要がなくなったときには、遊技者は発射ハンドル３０を操作しながらＣＲカード返却ボタン３３ｃを押すことにより、カード搬送部５６が動作してＣＲカードが返却される。単発ボタン３３ａについても従来と同様に操作することができる。
【００１８】
以上に説明したように、遊技者は、発射ハンドル３０に設けた単発ボタン３３ａ等の機能ボタンを押すことにより、遊技中にもかかわらず所望の機能を簡単に働かせることができるので非常に便利である。また、各機能スイッチを発射ハンドル３０に設けることにより、発射ハンドルの構成がわずかに複雑になるが、遊技機本体に複数の機能スイッチを取り付けるための穴開け加工等が不要になり、パチンコ遊技機全体としての製造コストを低減させることができる。さらに、複数の機能スイッチを発射ハンドル３０に設けることにより、各機能スイッチから引きだされる配線を、発射ハンドル位置にまとめることができ、配線処理を簡易にすることができる。
【００１９】
なお、遊技中にうっかり不要な機能スイッチ押すような不都合を避けるため、単発ボタン３３ａ以外の機能ボタンを押す必要がないときには、機能停止スイッチ２３をオンしておくことにより、各機能ボタンを押しても機能スイッチが作動することがないので便利である。また、機能停止停止スイッチを、発射ハンドルに設けることもできる。さらに、機能停止スイッチを機能スイッチ毎に、または機能スイッチの組み合せ毎に設けることもできる。
【００２０】
なお、上記実施形態においては、発射ハンドルに４個の機能スイッチを設けているが、単発スイッチを含む２個以上の任意の個数の機能スイッチを設けることができる。また、上記実施形態に示した機能スイッチの他に、図柄表示装置の表示モードを切り替える表示形態切り替えボタン、遊技内容切り替えボタン、球を遊技盤面の所定位置にとどめておく保留装置の保留機能を解除する保留解除ボタン（玉落しボタン）等を発射ハンドルに設けることができる。さらに、上記実施形態においては、ＣＲカード処理装置を備えたパチンコ遊技機について説明しているが、ＣＲカード処理装置を設けていないパチンコ遊技機に対しても本発明を適用することができる。
【図面の簡単な説明】
【図１】本発明の一実施形態例である発射ハンドルを備えたパチンコ遊技機を概略的に示す正面図である。
【図２】同パチンコ遊技機の裏面側を概略的に示す背面図である。
【図３】発射ハンドルを概略的に示す側面図である。
【図４】発射ハンドルを概略的に示す正面図及び平面図である。
【図５】発射ハンドルを概略的に示す縦断側面図である。
【図６】発射ハンドルの受け部を概略的に示す正面図である。
【図７】発射ハンドルの回動部材を概略的に示す正面図である。
【図８】パチンコ遊技機の回路構成を概略的に示すブロック図である。
【図９】従来例の発射ハンドルを概略的に示す正面図である。
【符号の説明】
１０…本体、１１…遊技盤、１４…図柄表示装置、２１…上側受皿、２３…機能停止スイッチ、３０…発射ハンドル、３１…支持部、３１ａ…円筒部、３１ｂ…受け部、３１ｃ…固定部、３１ｄ…貫通孔、３１ｅ…リード線通過孔、３１ｆ…導電部、３２ａ…単発スイッチ、３２ｂ…ＣＲ玉貸しスイッチ、３２ｃ…ＣＲカード返却スイッチ、３２ｄ…図柄停止短縮スイッチ、３３ａ…単発ボタン、３３ｂ…ＣＲ玉貸しボタン、３３ｃ…ＣＲカード返却ボタン、３３ｄ…図柄停止短縮ボタン、３４…導電シャフト、３６…回動部材、３６ｆ…支持片、３５…カバー部、４２…メイン基板、４６…賞品球ケース、４６ａ…電磁ソレノイド、４７ａ…入賞球検出スイッチ、４８…賞球制御基板、４９ａ…発射モータ、４９ｂ…モータコントローラ、５０…ＣＲカード処理装置、５４…カード挿入口、５５…カード処理部、５６…カード搬送部、５７…カード残高表示器。
【図１】
0003921620.tif 000002
【図２】
0003921620.tif 000003
【図３】
0003921620.tif 000004
【図４】
0003921620.tif 000005
【図５】
0003921620.tif 000006
【図６】
0003921620.tif 000007
【図７】
0003921620.tif 000008
【図８】
0003921620.tif 000009
【図９】
0003921620.tif 000010